(57)【要約】シリンジ用のプランジャロッドシステムが、提供される。本システムは、少なくとも１つのプランジャと、力をプランジャに付与するための関連ロッドとを備える。ロッドは、ねじ山付き部材を伴う端部を備え、ねじ山付き部材は、バレルからロッドまたはプランジャを引動させる、もしくは抜き取るときに付与され得るような引き出し力への抵抗も提供しながら、プランジャ内のロッドの設置の容易性を可能にする、ある幾何学形状のねじ山を備える。
2017536197.tif 000002
【特許請求の範囲】
【請求項１】
シリンジバレル内のストッパを支持して摺動するために有用なプランジャロッドであって、
第１の端部と、第２の端部とを備え、
前記第１の端部は、フランジを有する、ユーザインターフェース部分を備え、
前記第２の端部は、プランジャおよびストッパのうちの少なくとも１つへの相互接続のために適合される、ねじ山付き部分を備え、
前記ねじ山付き部分は、外部雄ねじ山と、所定のねじ山幾何学形状とを有する、シャフトを備え、
前記外部雄ねじ山は、係止要素を備え、前記係止要素は、前記ねじ山付き部分の一般経路から逸脱する、返し、棘突起、および突起のうちの少なくとも１つを備え、前記外部雄ねじ山は、プランジャおよびストッパのうちの前記少なくとも１つの増進した引き出し抵抗を提供する、
プランジャロッド。
【請求項２】
前記外部雄ねじ山は、１インチにつき少なくとも１５個のねじ山を備える、請求項１に記載のプランジャロッド。
【請求項３】
雄ねじ山付き部分は、約０．０５０インチ〜０．０７５インチのねじ山ピッチを備える、請求項１に記載のプランジャロッド。
【請求項４】
前記プランジャロッドは、環状オレフィン樹脂、放射線耐性ポリプロピレン、ポリプロピレン、ポリカーボネート、およびポリスチレンから成る群から選択される、少なくとも１つの樹脂と一体的に形成される、請求項１に記載のプランジャロッド。
【請求項５】
前記係止要素は、返しを備え、雄ねじ山付き部分は、約５．０〜１０．０度のねじ山角度を備え、前記返しは、約１５．０〜２５．０度のねじ山角度を備える、請求項１に記載のプランジャロッド。
【請求項６】
前記係止要素は、約１８．０〜２０．０度のねじ山角度を備える、請求項１に記載のプランジャロッド。
【請求項７】
前記外部雄ねじ山は、約７．０〜８．０度のねじ山角度を備える、請求項１に記載のプランジャロッド。
【請求項８】
シリンジバレル内のストッパを支持して摺動するために有用なプランジャロッドであって、
第１の端部と、第２の端部とを備え、
前記第１の端部は、ユーザインターフェース部分を備え、
前記第２の端部は、プランジャおよびストッパのうちの少なくとも１つへの相互接続のために適合される、ねじ山付き部分を備え、
前記ねじ山付き部分は、外部雄ねじ山と、第１のねじ山角度を有する、所定のねじ山幾何学形状とを備え、
前記外部雄ねじ山は、係止要素を備え、前記係止要素は、前記ねじ山付き部分の一般経路から逸脱する、少なくとも１つの突起を備え、前記突起は、第２のねじ山角度と、先端とを備え、前記第２のねじ山角度は、前記第１のねじ山角度より大きく、
前記外部雄ねじ山は、プランジャおよびストッパのうちの前記少なくとも１つの増進した引き出し抵抗を提供する、
プランジャロッド。
【請求項９】
前記ねじ山付き部分は、約０．０５０インチ〜０．０７５インチのねじ山ピッチを備える、請求項８に記載のプランジャロッド。
【請求項１０】
前記プランジャロッドは、約０．５０インチ〜１．００インチの長さを備える、請求項８に記載のプランジャロッド。
【請求項１１】
前記第２のねじ山角度は、約１８．０〜２０．０度のねじ山角度を備える、請求項８に記載のプランジャロッド。
【請求項１２】
前記第１のねじ山角度は、約７．０〜８．０度のねじ山角度を備える、請求項８に記載のプランジャロッド。
【請求項１３】
前記外部雄ねじ山と力伝達連通して提供される、プランジャおよびストッパのうちの少なくとも１つをさらに備える、請求項８に記載のプランジャロッド。
【請求項１４】
前記プランジャロッドならびにプランジャおよびストッパのうちの前記少なくとも１つは、バレルを有するシリンジと組み合わせて提供され、前記プランジャロッドならびにプランジャおよびストッパのうちの前記少なくとも１つは、選択的に除去可能な要素を備える、請求項１３に記載のプランジャロッド。
【請求項１５】
バレルと、プランジャロッドと、ストッパとを含む、シリンジであって、
前記プランジャは、
第１の端部と、第２の端部とを備え、
前記第１の端部は、ユーザインターフェース部分を備え、
前記第２の端部は、プランジャおよびストッパのうちの少なくとも１つへの相互接続のために適合される、ねじ山付き部分を備え、
前記ねじ山付き部分は、外部雄ねじ山と、第１のねじ山角度を有する、所定のねじ山幾何学形状とを備え、
前記外部雄ねじ山は、係止要素を備え、前記係止要素は、前記ねじ山付き部分のピッチの一般経路から逸脱する、少なくとも１つの突起を備え、前記突起は、第２のねじ山角度と、先端とを備え、前記第２のねじ山角度は、前記第１のねじ山角度より大きく、
前記係止要素は、少なくとも部分的にプランジャおよびストッパのうちの前記少なくとも１つの中に延在し、前記プランジャロッドは、プランジャおよびストッパのうちの前記少なくとも１つの増進した引き出し抵抗を提供する、
シリンジ。
【発明の詳細な説明】
【技術分野】
【０００１】
本発明の実施形態は、シリンジプランジャおよびプランジャロッドシステムに関する。より具体的には、本発明の実施形態は、ロッドとプランジャまたはストッパとの間に増進した引き出し抵抗を提供する、自己係止シリンジプランジャおよびロッドを提供する。
【背景技術】
【０００２】
参照することによってその全体として本明細書に組み込まれる、Ｓｈｅａｒｎの米国特許第６，６４５，１７７号は、ねじ山付き主ねじシャフトおよびプランジャを伴うシリンジドライバシステムを開示する。Ｓｈｅａｒｎのねじ山付き特徴は、シリンジからの物質の制御された投与に関する。Ｓｈｅａｒｎは、増進した引き出し抵抗を伴うねじ山付きシャフトまたはプランジャアセンブリを提供していない。
【０００３】
参照することによってその全体として本明細書に組み込まれる、Ｖｅｔｔｅｒ  ｅｔ  ａｌ．の米国特許第７，６４５，２６７号は、バレルの中に提供されるプランジャを伴う事前充填されたシリンジと、プランジャロッドおよび指支持体と協働するねじ山システムとを提供する。しかしながら、Ｖｅｔｔｅｒ  ｅｔ  ａｌ．のねじ山システムは、種々の係止および増進した引き出し特徴を開示していない。
【０００４】
参照することによってその全体として本明細書に組み込まれる、Ｋａｗａｍｕｒａ  ｅｔ  ａｌ．の米国特許第８，００２，７５４号は、ロッドとピストンとの間の取付を可能にするねじ山付き部分を伴うプランジャロッドを提供する。しかしながら、Ｋａｗａｍｕｒａ  ｅｔ  ａｌ．は、ねじ山付き部分およびストッパまたはピストンを固着するためのねじ山付き部分と関連付けられる係止特徴を開示していない。
【先行技術文献】
【特許文献】
【０００５】
【特許文献１】米国特許第６，６４５，１７７号明細書
【特許文献２】米国特許第７，６４５，２６７号明細書
【特許文献３】米国特許第８，００２，７５４号明細書
【発明の概要】
【課題を解決するための手段】
【０００６】
本発明の一実施形態では、シリンジバレル内のストッパを支持して摺動するために有用なプランジャロッドが提供され、プランジャロッドは、プランジャロッド上にストッパを取り付けるように、該プランジャロッドの端部に形成されるねじ山付き部分と、プランジャロッドの反対端に形成されるフランジとを有する。ある実施形態では、ねじ山付き部分は、ねじ山付き部分のピッチの一般経路から逸脱する、返し、棘突起、および突起のうちの少なくとも１つを備える。
【０００７】
本発明の一実施形態では、シリンジが提供され、シリンジは、閉鎖具で密閉された薬剤送達先端をその端部に提供され、その反対端で開放している、バレルと、ピストンの中心軸に沿ってピストンの後部分に形成されたねじ孔を有し、該シリンジバレルの開放端を摺動可能に密閉する、ピストンとを備える。ある実施形態では、シリンジはさらに、本明細書に示され、説明されるようなねじ山付き部分を伴うプランジャロッドを備える。
【０００８】
事前充填されたシリンジを含む、シリンジ用のプランジャおよびプランジャロッドを固着するための効果的なシステムの長年の切実な必要性が存在する。具体的には、依然として十分な引き出し抵抗を提供しながら、シリンジ構成要素の迅速かつ容易な組立を提供する、システムが必要とされる。したがって、本発明の実施形態は、プランジャロッドを伴うシリンジを提供し、プランジャロッドは、ねじ山付き部分を備える。ねじ山付き部分はさらに、ロッド・ストッパの組み合わせの引き出しまたは他の除去抵抗を増加させるように、少なくとも１つの固着特徴を備える。好ましい実施形態では、ねじ山付き部分の固着特徴は、アイテム間の向上した嵌合を依然として提供しながら、ロッドが比較的容易な様式で挿入されて接続されることを可能にする。
【０００９】
種々の実施形態では、本発明は、「自己係止」雄ねじ山幾何学形状を伴う構成要素が、類似雌ねじ山幾何学形状を伴う構成要素に取り付けられることを可能にする。そのような構成要素の噛合は、雌構成要素から雄構成要素をねじって外す／脱離させる任意の試行が起こるとき、および／またはプランジャがシリンジバレルから引動される、もしくは抜き取られるときに、「自己係止」特徴が機械抵抗を提供するように機能することを可能にする。ねじ山幾何学形状は、ねじ山ピッチ、ねじ山数、ねじ山角度、およびねじ山「自己係止」特徴から成る。ねじ山角度は、縦軸から延在する垂直面と比較して、ねじ山の谷から外側ねじ山表面まで測定されるような個別ねじ山の角度である。ねじ山数は、縦方向尺度の単位あたりのねじ山の数である（例えば、「１インチあたりのねじ山」）。「ピッチ」は、軸の長さに沿って測定されるような１つのねじ山から次のねじ山までの距離である。
【００１０】
本明細書に示され、説明されるような係止特徴を伴うプランジャロッドシステムは、種々の異なるプランジャおよびシリンジシステムで採用されてもよい。本発明の種々の実施形態は、プランジャロッドおよび関連ストッパが、シリンジバレルの開放端を密閉するように提供され、デバイスの混合または使用に先立って除去される、混合シリンジとともに使用するための係止ねじ山パターンを伴うプランジャロッドアセンブリを考慮するが、本明細書に提供されるような係止ねじ山特徴は、任意の数のシリンジと組み合わせて提供されてもよい。本明細書に示され、説明されるような本発明の特徴を提供され得る、混合シリンジシステムの一実施例は、ＥＬＩＧＡＲＤ（Ｒ）（注射用懸濁液のための酢酸ロイプロリド）用の混合シリンジシステムである。ある実施形態では、自己係止ねじ山を伴うプランジャロッドは、バレル内のある点を越えたロッドおよび／またはストッパの平行移動を防止するための特徴を備える。しかしながら、代替実施形態では、係止ねじ山特徴が、ストッパに接続し、シリンジバレル長の全体またはその少なくとも大部分に沿ってストッパを平行移動させるように適合される、作業プランジャとして提供されるシリンジプランジャを含む、任意の数もしくはタイプのシリンジプランジャ上に提供され得ることが考慮される。
【００１１】
一実施形態では、シリンジバレル内のストッパを支持して摺動するために有用なプランジャロッドが提供される。プランジャロッドは、第１の端部と、第２の端部とを備え、第１の端部は、フランジを伴うユーザインターフェース部分を有する。第２の端部は、プランジャおよびストッパのうちの少なくとも１つへの相互接続のために適合される、ねじ山付き部分を備える。ねじ山付き部分は、外部雄ねじ山と、所定のねじ山幾何学形状とを有する、シャフトを備える。外部雄ねじ山は、係止要素を備え、係止要素は、ねじ山付き部分のピッチの一般経路から逸脱する、返し、棘突起、および突起のうちの少なくとも１つを備え、外部雄ねじ山は、プランジャおよびストッパのうちの少なくとも１つの増進した引き出し抵抗を提供する。
【００１２】
別の実施形態では、シリンジバレル内のストッパを支持して摺動するために有用なプランジャロッドが提供され、プランジャロッドは、第１の端部と、第２の端部とを備える。第１の端部は、ユーザインターフェース部分を備え、第２の端部は、プランジャおよびストッパのうちの少なくとも１つへの相互接続のために適合される、ねじ山付き部分を備える。ねじ山付き部分は、外部雄ねじ山と、第１のねじ山角度を有する、所定のねじ山幾何学形状とを備える。外部雄ねじ山は、係止要素を備え、係止要素は、ねじ山付き部分のピッチの一般経路から逸脱する、少なくとも１つの突起を備え、突起は、第２のねじ山角度と、先端とを備え、第２のねじ山角度は、第１のねじ山角度より大きい。外部雄ねじ山は、プランジャおよびストッパのうちの少なくとも１つの増進した引き出し抵抗を提供する。
【００１３】
さらに別の実施形態では、バレルと、プランジャロッドと、ストッパとを含む、シリンジが提供される。プランジャは、第１の端部と、第２の端部とを備え、第１の端部は、ユーザインターフェース部分を備える。第２の端部は、プランジャおよびストッパのうちの少なくとも１つへの相互接続のために適合される、ねじ山付き部分を備える。ねじ山付き部分は、外部雄ねじ山と、第１のねじ山角度を有する、所定のねじ山幾何学形状とを備える。外部雄ねじ山は、ねじ山付き部分のピッチの一般経路から逸脱する、少なくとも１つの突起を伴う係止要素を備え、突起は、第２のねじ山角度と、先端とを備え、第２のねじ山角度は、第１のねじ山角度より大きい。係止要素は、少なくとも部分的にプランジャおよびストッパのうちの少なくとも１つの中に延在し、プランジャロッドは、プランジャおよびストッパのうちの少なくとも１つの増進した除去または引き出し抵抗を提供する。種々の実施形態では、係止要素は、返しを備え、雄ねじ山付き部分は、約５．０〜１０．０度、好ましくは、約７．０〜８．０度のねじ山角度を備え、返しは、約１５．０〜２５．０度のねじ山角度を備える。種々の実施形態では、係止要素は、約１８．０〜２０．０度のねじ山角度を備える。種々の実施形態では、外部雄ねじ山部材は、１インチにつき少なくとも１５個のねじ山を備える。雄ねじ山付き部分は、約０．０５０インチ〜０．０７５インチのねじ山ピッチを備えてもよい。
【００１４】
種々の実施形態では、プランジャロッドは、環状オレフィン樹脂、放射線耐性ポリプロピレン、ポリプロピレン、ポリカーボネート、およびポリスチレンから成る群から選択される、少なくとも１つの樹脂と一体的に形成される。プランジャロッドは、任意の好適な長さを備えてもよく、好ましくは、約０．５０インチ〜１．００インチの長さを備える。プランジャロッドは、外部雄ねじ山と力伝達連通して提供される、プランジャおよびストッパのうちの少なくとも１つと嵌合されてもよい。プランジャロッドならびにプランジャおよびストッパのうちの少なくとも１つは、バレルを有するシリンジと組み合わせて提供され、プランジャロッドならびにプランジャおよびストッパのうちの少なくとも１つは、選択的に除去可能な要素を備える、請求項１３に記載のプランジャロッド。
【００１５】
発明の概要は、本開示の完全な規模および範囲を表すことを意図するものではなく、そのように解釈されるべきでもない。本開示は、発明の概要ならびに添付図面および発明を実施するための形態において種々のレベルで詳細に記載され、本開示の範囲に関するいかなる制限も、本発明の概要における要素、構成要素等の包含または非包含のいずれによっても意図されない。本開示の付加的側面は、特に図面とともに解釈されるときに、発明を実施するための形態からより容易に明白となるであろう。
【図面の簡単な説明】
【００１６】
図面は、本明細書の一部を構成し、本発明の例示的実施形態を含み、その種々の目的および特徴を図示する。
【００１７】
【図１】図１は、本発明の一実施形態による、プランジャの正面図である。
【図２】図２は、図１による、詳細２について得られたプランジャの詳細正面図である。
【図３】図３は、図１の実施形態による、プランジャの正面図である。
【図４】図４は、図１の実施形態による、プランジャの種々の斜視図を提供する。
【図５】図５は、本発明の一実施形態による、プランジャロッドおよびシリンジアセンブリの斜視図である。
【発明を実施するための形態】
【００１８】
本発明のある形態が本明細書に図示および説明されているが、説明され、示される部品の具体的形態または配列に限定されるものではないことを理解されたい。
【００１９】
図１に示されるように、本発明の一実施形態による、プランジャロッドアセンブリ２が提供される。プランジャロッドアセンブリ２は、ねじ山付き部分４を有する、第１の端部を備える。ねじ山付き部分４は、ピストンおよびストッパ（図１に示されていない）への相互接続のための雄ねじ山付き部材を備える。ねじ山付き部分４は、外部ねじ山を備える。少なくとも１つの係止要素６は、少なくとも１つの外部ねじ山上に提供される。種々の実施形態では、係止要素６は、返しまたは突起を備え、係止要素６は、ねじ山の一般経路またはピッチからの逸脱を備える。突起は、好ましくは、ねじ山付き部分のねじ山幾何学形状と異なり、先端７（図２参照）を備える、第２のねじ山幾何学形状を備える。例えば、一実施形態では、突起は、プランジャロッドがプランジャおよび／またはストッパの増進した引き出し抵抗を提供するように、係止要素が少なくとも部分的にプランジャおよびストッパのうちの少なくとも１つの中に延在することを可能にする。種々の実施形態では、本発明のねじ山付き部分は、約０．０６２５インチのねじ山ピッチを備え、および／または１インチにつき少なくとも１６個のねじ山を備える。係止要素６は、プランジャロッドアセンブリ２をストッパまたはピストン等の対応する要素と固着するための自己係止特徴を備える。種々の実施形態では、アセンブリ２は、雌開口または孔を備える、ゴムストッパとの接続のために適合される。係止要素６は、ストッパに係合することが可能な返しを備える。具体的には、図１の実施形態のねじ山付き部分は、時計回り回転でプランジャに挿入または螺入されるように適合される、右巻きのねじ山を備える。反時計回り回転および／またはアセンブリ２への張力の印加を通した、ストッパからのプランジャロッドアセンブリ２の除去は、係止要素６の幾何学形状によって阻止される。しかしながら、プランジャロッドアセンブリ２の挿入は、実質的に阻止されず、プランジャロッドアセンブリ２は、アクセス力、付加的工具等を必要とすることなく、ピストンまたはストッパに挿入されてもよい。
【００２０】
図１にさらに示されるように、プランジャロッドアセンブリ２は、ねじ山付き部分４を伴う第１の端部と、ユーザインターフェース部分１０を備える第２の端部との間に延在する、シャフト部分８を備える。描写される実施形態のユーザインターフェース部分１０は、プランジャロッドアセンブリの押下およびデバイス（例えば、事前充填されたシリンジ）の起動のために（例えば）ユーザの親指と接触するために適合される、実質的に平面的な部分を備える。描写される実施形態では、シャフト部分８は、相互と直角に提供される複数のリブ１２を備える。リブ１２は、シャフト部分８の全体的体積および重量を低減させながら、構造支持をプランジャロッドならびにシャフト部分８に提供する。
【００２１】
図１に示されるように、プランジャロッドアセンブリ２は、約０．５０インチ〜１．００インチの全長を備える。好ましい実施形態では、プランジャロッドアセンブリ２の全長は、約０．７０インチ〜０．８０インチである。好ましい実施形態では、プランジャロッドアセンブリ２の長さは、約０．７３６インチである。描写される実施形態では、プランジャロッド２は、シリンジからの内容物の分注のために設計されていないため、比較的短い全長を備える。むしろ、描写される実施形態のシャフト部分８のロッド２は、シリンジバレルの遠位端においてストッパを固着してバレルを密閉または閉鎖し、無菌注射用溶液もしくは懸濁液を含むが、それに限定されない、無菌物体を維持するように設計される。シリンジデバイスの使用に先立って、シャフト部分８と、ねじ山付き部分４と、任意の関連ストッパとを含む、プランジャロッドアセンブリ２は、バレルから抜き取られ、典型的には、破棄される。描写される実施形態では、プランジャロッドおよび関連プランジャまたはストッパが、シリンジバレルを密閉もしくは封入するように設計され、最終的に、抜き取られることを意図している、種々の実施形態において、プランジャまたはストッパに対するプランジャロッドの引き出し抵抗が重要であることが認識されるであろう。そのような実施形態では、プランジャが、混合シリンジを備え、張力が、少なくとも１つの機会にプランジャに印加されることを意図し、プランジャロッドが、圧縮力を上回るものに耐えて許容するように提供される、実施形態において、本開示の実施形態は、プランジャロッドとプランジャとの間の向上した接続を提供する。向上した接続は、プランジャロッドがプランジャから偶発的に引き出され、プランジャをバレルの中に閉じ込められたままにし、概して、本デバイスを役に立たなくさせるであろう危険性を排除もしくは低減させる。
【００２２】
種々の実施形態では、ユーザインターフェース部分１０は、約０．２５インチ〜０．７５インチの直径を伴う実質的に円形の要素を備える。好ましい実施形態では、ユーザインターフェース部分１０の直径は、約０．５０インチである。
【００２３】
図２は、図１の詳細２について得られた、図１の実施形態の詳細側面図である。示されるように、ねじ山付き部分４は、係止要素６を備え、係止要素６は、外部ねじ山１４から逸脱する突起７を備える。ある実施形態では、外部ねじ山１４は、約０．０２５インチ〜０．０７５インチのねじ山ピッチを備え、係止要素６は、１５．０〜２５．０度のねじ山角度を備える。一実施形態では、外部ねじ山１４は、約０．０５０インチ〜０．０７５インチのねじ山ピッチを備える。好ましい実施形態では、ねじ山付き部分４は、約０．０６２インチのピッチを有する、外部ねじ山１４を備え、係止要素６は、外部ねじ山１４のねじ山角度より大きく、約１８．０〜２０．０度である、ねじ山角度を伴う外部ねじ山から延在する、返しまたは突起を備える。種々の実施形態では、外部ねじ山のねじ山角度は、約７．２０度であり、係止要素６のねじ山角度は、約１８．８である。
【００２４】
図２で提供される実施形態では、外部ねじ山１４は、シリンダ部分８上に提供される。本発明のある実施形態が、本明細書に示され、説明されるが、ある実施形態の幾何学形状、ピッチ、およびねじ山角度は、限定的と見なされるものでないことが認識されるであろう。実際に、これらの寸法および幾何学形状の任意の数の変形例が、本発明の範囲ならびに精神から逸脱することなく提供され得る。上記で説明されるものを含む、種々のねじ山幾何学形状が、本明細書に説明されるが、本開示は、特定のねじ山幾何学形状に限定されないことが認識されるであろう。しかしながら、本明細書に示され、説明されるような、外部雄ねじ山および所定のねじ山幾何学形状を伴うねじ山付き部分を有する、シャフトを伴うプランジャロッドが、種々の好ましい実施形態によって考慮される。
【００２５】
図３は、一実施形態による、プランジャロッドアセンブリ２の側面図である。種々の実施形態では、プランジャロッドアセンブリ２は、約０．１０インチ〜０．２５インチの長さを有する、ねじ山付き部分４を備える。好ましい実施形態では、ねじ山付き部分４の長さは、約０．１２インチ〜０．１７５インチである。好ましい実施形態では、ねじ山付き部分４の長さは、約０．１６インチである。種々の実施形態では、ねじ山付き部分４は、約０．２０インチ〜約０．５０インチの最大外部幅を備える。好ましい実施形態では、ねじ山付き部分４の最大幅は、約０．２５０〜０．３０インチである。好ましい実施形態では、ねじ山付き部分４の最大幅は、約０．２７８インチである。
【００２６】
描写される実施形態のシャフト部分８は、プランジャロッドシャフト８の中心から半径方向に離れて延在し、シリンジバレルの遠位端に接触するための実質的に平坦な面を有し、所定の点を通り過ぎたシャフト８の平行移動を防止する、フランジまたは棚部材１８を備える。図３で描写される実施形態のアセンブリ２は、混合シリンジとともに使用するために適合され、典型的には、アセンブリ２ならびに任意の関連ストッパは、混合および／または使用に先立ってシリンジから完全に除去される。そして、より長い長さの二次プランジャロッド（図示せず）が、典型的には、本システム用の作業プランジャロッドとしての機能を果たすようにバレルの中に提供される。本発明の実施形態は、二次プランジャロッドおよび実際に任意の数またはタイプのプランジャロッドが、本明細書に示され、説明されるような自己係止ねじ山アセンブリを含む、本発明の特徴を備え得ることを考慮する。
【００２７】
ある実施形態では、プランジャロッドアセンブリ２は、ねじ山１４、円筒部分１６、および／またはシャフト部分８の遠位部分の中に提供される、例えば、返し、突起、フック、斜面、ならびに類似特徴を含む、複数の係止要素６を備える。本明細書で描写される種々の実施形態は、１つの係止要素６を提供されるが、本発明の実施形態は、２つ、３つ、４つ、５つ、またはそれを上回るものを含む、任意の数の係止要素を考慮する。
【００２８】
本発明の実施形態は、外部ねじ山１４を提供される。外部ねじ山１４は、ストッパまたはピストンの開口、陥凹、もしくは類似特徴の雌または内部ねじ山と連通するように適合される。代替として、ストッパは、ねじ山がない開口を提供されてもよく、ストッパの内部ねじ山が、プランジャロッドアセンブリ２の外部ねじ山１４によってタップまたは螺合される、本発明のデバイス２が提供される。
【００２９】
図４は、本発明の一実施形態による、プランジャロッドアセンブリ２の種々の斜視図を提供する。本明細書に示され、説明されるような種々の特徴が、図４で提供される。図４の詳細は、以前に説明されており、図４の斜視図は、付加的例証のために提供される。
【００３０】
図５は、本発明の一実施形態の斜視図である。本発明のある実施形態は、一時シリンジバレルストッパおよびより短い長さの関連プランジャロッドとともに使用するために特によく適しているが、本発明は、そのような実施形態に限定されないことがはっきりと認識されるであろう。例えば、図５に示されるように、シリンジの遠位端２８からシリンジ内容物を分注するためにバレル２４内のストッパ２６を駆動するためのプランジャロッド２２を備える、シリンジ２０が提供される。使用に先立って、シリンジ２０から選択的に除去可能である、キャップまたはカバー３０が提供される。描写される実施形態のプランジャロッド２２は、プランジャロッド２２をストッパ２６に固着するための係止特徴とともに、ねじ山付き特徴をプランジャロッド２２の遠位端上に備える。そのような特徴は、図５に示されていないが、本明細書に示され、説明されるような自己係止ねじ山特徴のうちのいずれか１つまたはそれを上回るものを備えてもよい。
【００３１】
本発明の種々の実施形態が詳細に説明されているが、これらの実施形態への修正および変更が当業者に想起されるであろうことが明白である。しかしながら、そのような修正および変更は、本発明の範囲ならびに精神内であることを明示的に理解されたい。さらに、本明細書に説明される本発明は、他の実施形態も可能であって、種々の方法で実践または実行されることも可能である。加えて、本明細書で使用される表現および用語は、説明の目的のためであり、限定的と見なされるべきではないことを理解されたい。本明細書での「〜を含む（ｉｎｃｌｕｄｉｎｇ）」、「〜を備える（ｃｏｍｐｒｉｓｉｎｇ）」、または「〜を追加する（ａｄｄｉｎｇ）」の使用、およびそれらの変形例は、以降に列挙されるアイテムおよびそれらの均等物、ならびに付加的アイテムを包含するように意図されている。
【図１】
2017536197.tif 000003
【図２】
2017536197.tif 000004
【図３】
2017536197.tif 000005
【図４】
2017536197.tif 000006
【図５】
2017536197.tif 000007
【国際調査報告】
2017536197.tif 000008
2017536197.tif 000009
2017536197.tif 000010